(57)【要約】【課題】本発明は、コンテンツの不正な複製を防止すると共に私的利用を目的とした当該コンテンツの複製は許可することができるようにする。【解決手段】本発明は、ハードディスク内蔵ＤＶＤプレーヤ２Ａに装填されたＤＶＤ１０Ａからタイトル識別情報Ｉｔ、媒体識別情報Ｉｗを取り出し、これらをハードディスク内蔵ＤＶＤプレーヤ２Ａの装置識別情報Ｉｄｄｒｖと共に管理サーバ３へ送信して複製禁止フラグＮｃｐを問い合わせ、当該複製禁止フラグＮｃｐに応じて当該ＤＶＤ１０Ａの記録済コンテンツの複製を制御するようにしたことにより、ＤＶＤ１０Ａをハードディスク内蔵ＤＶＤプレーヤ２Ａでコピーすることは不正なコピーであると管理サーバ３が判断した場合にはコピーを禁止し、ＤＶＤ１０Ａをハードディスク内蔵ＤＶＤプレーヤ２Ａでコピーすることは私的利用を目的としたコピーであると管理サーバ３が判断した場合にはコピーを許可することができる。【選択図】        図１
2004246819.tif 000002
【特許請求の範囲】
【請求項１】
コンテンツ複製装置及び複製管理装置がネットワークを介して接続されることにより構築されるコンテンツ複製管理システムにおいて、
上記コンテンツ複製装置は、
コンテンツの記録された複製元記録媒体そのものを特徴付ける固有の媒体識別情報を取得する媒体識別情報取得手段と、
上記コンテンツ複製装置そのものを示す固有の装置識別情報を取得する装置識別情報取得手段と、
上記媒体識別情報及び上記装置識別情報をコンテンツ複製時の複製組合情報として上記複製管理装置へ送信する複製組合情報送信手段と、
上記複製管理装置にアクセスしたとき、上記複製組合情報に基づいて上記複製管理装置により生成された複製許可情報を当該複製管理装置から受信する受信手段と、
上記複製許可情報に応じて上記コンテンツの複製を制御する制御手段と
を具え、
上記複製管理装置は、
上記コンテンツ複製装置から受信した上記複製組合情報を予め登録して記憶する記憶手段と、
上記コンテンツ複製装置から上記アクセスされたときに受信した上記複製組合情報と上記記憶手段に予め登録された上記複製組合情報とを比較し、上記媒体識別情報及び上記装置識別情報の組み合わせが相互に一致したか否かを判断し、一致したときには上記複製を許可する上記複製許可情報を生成し、一致しないときには上記複製を許可しない上記複製許可情報を生成する複製許可情報生成手段と、
上記複製許可情報を上記コンテンツ複製装置へ送信する複製許可情報送信手段と
を具えることを特徴とするコンテンツ複製管理システム。
【請求項２】
上記制御手段は、
上記複製許可情報に応じて複製した上記コンテンツの再生を制御すること
を特徴とする請求項１に記載のコンテンツ複製管理システム。
【請求項３】
上記媒体識別情報は、
上記複製元記録媒体における印刷面の印刷時のばらつきや、上記複製元記録媒体における記録面の信号のばらつき情報、若しくは記録面に記録されている信号のいずれか、またはこれらの組み合わせである
ことを特徴とする請求項１に記載のコンテンツ複製管理システム。
【請求項４】
上記制御手段は、
上記複製許可情報に応じて上記コンテンツの複製を制御すると共に、上記複製許可情報に応じて当該複製が許可されていないときには所定の警告画面を表示手段に表示する
ことを特徴とする請求項１に記載のコンテンツ複製管理システム。
【請求項５】
上記記憶手段は、
上記コンテンツ複製装置から受信した上記複製組合情報を予め登録して記憶する際、上記媒体識別情報を上記コンテンツのタイトルに応じて当該タイトル毎に分けて登録し、
上記複製許可情報生成手段は、
上記コンテンツ複製装置から上記アクセスされたときに受信した上記複製組合情報と上記記憶手段に予め登録された上記複製組合情報とを比較する際、上記タイトルに応じて比較対照の上記媒体識別情報を選別する
ことを特徴とする請求項１に記載のコンテンツ複製管理システム。
【請求項６】
上記制御手段は、
上記コンテンツの複製を実行する際、当該コンテンツに対して上記媒体識別情報及び上記装置識別情報を畳み込むことにより複製コンテンツを生成し、当該複製コンテンツを再生する際には、当該複製コンテンツから当該媒体識別情報及び当該装置識別情報を取り出して上記複製組合情報送信手段で上記複製管理装置へ送信し、当該媒体識別情報及び当該装置識別情報の組み合わせに基づいて上記複製管理装置により生成された上記複製許可情報を受信手段で受信し、当該複製許可情報に応じて上記複製コンテンツの再生を制御する
ことを特徴とする請求項１に記載のコンテンツ複製管理システム。
【請求項７】
上記制御手段は、
上記コンテンツの複製を実行する際、当該コンテンツに対して上記媒体識別情報及び上記装置識別情報を畳み込むことにより複製コンテンツを生成すると共に、別途当該媒体識別情報及び当該装置識別情報を上記記録再生装置に保存し、当該複製コンテンツの複製コンテンツを再生しなくても、当該媒体識別情報及び当該装置識別情報を取り出して上記複製組合情報送信手段で上記複製管理装置へ送信し、当該媒体識別情報及び当該装置識別情報の組み合わせに基づいて上記複製管理装置により生成された上記複製許可情報を受信手段で受信し、当該複製許可情報に応じて上記複製コンテンツが複製を許可されているコンテンツであるかどうかを確認する
ことを特徴とする請求項１に記載のコンテンツ複製管理システム。
【請求項８】
上記制御手段は、
上記コンテンツの複製を実行する際、当該コンテンツに対して上記装置識別情報を鍵とする所定の暗号化を行う
ことを特徴とする請求項１に記載のコンテンツ複製管理システム。
【請求項９】
コンテンツの記録された複製元記録媒体そのものを特徴付ける固有の媒体識別情報及びコンテンツ複製装置そのものを示す固有の装置識別情報をコンテンツ複製時の複製組合情報として上記コンテンツ複製装置からネットワークを介して受信する複製組合情報受信手段と、
上記コンテンツ複製装置から受信した上記複製組合情報を予め登録して記憶する記憶手段と、
上記コンテンツ複製装置から上記アクセスされたときに受信した上記複製組合情報と上記記憶手段に予め登録された上記複製組合情報とを比較し、上記媒体識別情報及び上記装置識別情報の組み合わせが相互に一致したか否かを判断し、一致したときには上記複製を許可する上記複製許可情報を生成し、一致しないときには上記複製を許可しない上記複製許可情報を生成する複製許可情報生成手段と、
上記複製許可情報を上記コンテンツ複製装置へ送信する複製許可情報送信手段と
を具え、
上記複製許可情報に応じて上記コンテンツ複製装置における上記複製元記録媒体からの上記コンテンツの複製を当該複製記録媒体毎に管理する
ことを特徴とする複製管理装置。
【請求項１０】
コンテンツの記録された複製元記録媒体そのものを特徴付ける固有の媒体識別情報及びコンテンツ複製装置そのものを示す固有の装置識別情報をコンテンツ複製時の複製組合情報として上記コンテンツ複製装置からネットワークを介して受信する複製組合情報受信ステップと、
上記コンテンツ複製装置から受信した上記複製組合情報を予め登録して記憶する記憶ステップと、
上記コンテンツ複製装置から上記アクセスされたときに受信した上記複製組合情報と上記記憶手段に予め登録された上記複製組合情報とを比較し、上記媒体識別情報及び上記装置識別情報の組み合わせが相互に一致したか否かを判断し、一致したときには上記複製を許可する上記複製許可情報を生成し、一致しないときには上記複製を許可しない上記複製許可情報を生成する複製許可情報生成ステップと、
上記複製許可情報を上記コンテンツ複製装置へ送信する複製許可情報送信ステップと
を具え、
上記複製許可情報に応じて上記コンテンツ複製装置における上記複製元記録媒体からの上記コンテンツの複製を当該複製記録媒体毎に管理する
ことを特徴とする複製管理方法。
【請求項１１】
コンテンツの記録された複製元記録媒体そのものを特徴付ける固有の媒体識別情報を取得する媒体識別情報取得手段と、
上記コンテンツ複製装置そのものを示す固有の装置識別情報を取得する装置識別情報取得手段と、
上記媒体識別情報及び上記装置識別情報をコンテンツ複製時の複製組合情報としてネットワークを介して接続された複製管理装置へ送信する複製組合情報送信手段と、
上記複製組合情報が上記複製管理装置によって予め登録された後、改めて上記複製管理装置へアクセスしたときに送信した上記複製組合情報と上記予め登録された上記複製組合情報とが当該複製管理装置によって比較され、上記媒体識別情報及び上記装置識別情報の組み合わせが相互に一致したときには上記コンテンツの複製を許可し、一致しないときには上記複製を許可しないように生成された上記複製許可情報を上記複製管理装置から受信する受信手段と、
上記複製許可情報に応じて複製を制御する制御手段と
を具えることを特徴とするコンテンツ複製装置。
【請求項１２】
コンテンツの記録された複製元記録媒体そのものを特徴付ける固有の媒体識別情報を取得する媒体識別情報取得ステップと、
上記コンテンツ複製装置そのものを示す固有の装置識別情報を取得する装置識別情報取得ステップと、
上記媒体識別情報及び上記装置識別情報をコンテンツ複製時の複製組合情報としてネットワークを介して接続された複製管理装置へ送信する複製組合情報送信ステップと、
上記複製組合情報が上記複製管理装置によって予め登録された後、改めて上記複製管理装置へアクセスしたときに送信した上記複製組合情報と上記予め登録された上記複製組合情報とが当該複製管理装置によって比較され、上記媒体識別情報及び上記装置識別情報の組み合わせが相互に一致したときには上記コンテンツの複製を許可し、一致しないときには上記複製を許可しないように生成された上記複製許可情報を上記複製管理装置から受信する受信ステップと、
上記複製許可情報に応じて複製を制御する制御ステップと
を具えることを特徴とするコンテンツ複製方法。
【発明の詳細な説明】
【０００１】
【発明の属する技術分野】
本発明はコンテンツ複製管理システムに関し、例えばＤＶＤ（Ｄｉｇｉｔａｌ  Ｖｅｒｓａｔｉｌｅ  Ｄｉｓｋ）やＣＤ（Ｃｏｍｐａｃｔ  Ｄｉｓｋ）に記録されているコンテンツ（以下、これを記録済コンテンツと呼ぶ。）の再生機能及び当該記録済コンテンツをハードディスクにコピーする複製機能を有する記録再生装置に適用して好適なものである。
【０００２】
【従来の技術】
近年、ＤＶＤ−Ｒ（Ｄｉｇｉｔａｌ  Ｖｅｒｓａｔｉｌｅ  Ｄｉｓｋ  −  Ｒｅｃｏｒｄａｂｌｅ）レコーダやＣＤ−Ｒ（Ｃｏｍｐａｃｔ  Ｄｉｓｋ  −  Ｒｅｃｏｒｄａｂｌｅ）レコーダ等のように映像データや音声データ等からなる種々のコンテンツをＤＶＤ−ＲやＣＤ−Ｒ等の記録媒体にコピーすることができる記録再生装置が広く普及している。これらの記録再生装置は私的利用のための複製を目的としており、不正な複製を防止するために様々な手法が用いられている。
【０００３】
一般的な手法としては、カラーストライプ方式やＡＧＣ（Ａｕｔｏｍａｔｉｃ  Ｇａｉｎ  Ｃｏｎｔｒｏｌ）パルス方式、デジタルウォーターマーク方式等がある。
【０００４】
例えばカラーストライプ方式やＡＧＣパルス方式を用いた再生専用のＤＶＤプレーヤは、ＤＶＤの記録済コンテンツを再生したときの再生信号にカラーバースト信号や垂直同期信号のパルスを加えることにより生成した出力信号を記録用のＤＶＤ−Ｒレコーダへ送出するようになされている。
【０００５】
これにより、ＤＶＤ−Ｒレコーダは当該出力信号を記録したとしても当該パルスによって画質劣化が生じてしまい正常に記録することができなくなる。
【０００６】
またデジタルウォーターマーク方式を用いたＤＶＤ−Ｒレコーダは、ウォーターマークと呼ばれる模様が予め付けられた記録済コンテンツから当該ウォーターマークを読み取り、当該ウォーターマークが複製禁止を示していた場合に複製を禁止するようになされている。
【０００７】
さらにこれらの一般的な手法に加えて、以下のような手法が提案されている。すなわち記録再生装置は、当該記録再生装置毎に異なる固有値を自身の不揮発性メモリに記憶し、コンテンツの複製時に当該コンテンツと共に当該固有値を記録媒体に記録しておく。そして記録再生装置は、当該記録媒体にコピーされたコンテンツ（以下、これを複製コンテンツと呼ぶ。）を再生する際に当該記録媒体に記録された固有値と当該記録再生装置内の不揮発性メモリに記憶された固有値とを照合し、その照合結果に基づいて当該複製コンテンツが当該記録再生装置でのみ再生を許可されるコンテンツであるか否かを判断し、不正にコピーされた複製コンテンツであると判断した場合には再生を制限するようになされている。（例えば、特許文献１参照）。
【０００８】
このような手法を用いた記録再生装置においては、例えばＤＶＤの記録済コンテンツが私的利用を目的として書き込み可能なＤＶＤ−ＲＷにコピーされたとき、当該ＤＶＤ−ＲＷに記録された複製コンテンツについては当該記録再生装置でのみ再生することができ、当該記録再生装置以外の記録再生装置では再生することを防止することができる。
【０００９】
【特許文献１】
特開２００１−１９５８２６公報（第３項、第１図）
【００１０】
【発明が解決しようとする課題】
【００１１】
ところでかかる構成の記録再生装置においては、当該ＤＶＤが当該記録再生装置以外の他の記録再生装置に装填された場合、当該他の記録再生装置によって当該ＤＶＤの記録済コンテンツがコピーされてしまうことについては防ぎようがない。
【００１２】
例えば当該ＤＶＤが正規に購入したユーザ（以下、これを正規ユーザと呼ぶ）から他人に貸し出されてしまうと、当該ＤＶＤを借りた人は私的利用を目的として当該ＤＶＤの記録済コンテンツを自身の所有する記録再生装置でコピーすることができる。この場合借りた人が私的利用を目的として複製しているとしても、当該ＤＶＤが複数の人に貸し出されてしまえば、当該ＤＶＤ一枚から複数の複製コンテンツが作られてしまうことになり、結果として不正な複製を許してしまうという問題があった。
【００１３】
本発明は以上の点を考慮してなされたもので、現在広く利用されているＤＶＤ等の記録済コンテンツの不正な複製を防止すると共に私的利用を目的とした当該記録済コンテンツの複製を許可して確実に複製を管理し得るコンテンツ複製管理システムを提案しようとするものである。
【００１４】
【課題を解決するための手段】
かかる課題を解決するため本発明においては、コンテンツ複製装置及び複製管理装置がネットワークを介して接続されることにより構築されるコンテンツ複製管理システムにおいて、コンテンツ複製装置は、コンテンツの記録された複製元記録媒体そのものを特徴付ける固有の媒体識別情報を取得する媒体識別情報取得手段と、コンテンツ複製装置そのものを示す固有の装置識別情報を取得する装置識別情報取得手段と、媒体識別情報及び装置識別情報をコンテンツ複製時の複製組合情報として複製管理装置へ送信する複製組合情報送信手段と、複製管理装置にアクセスしたとき、複製組合情報に基づいて複製管理装置により生成された複製許可情報を当該複製管理装置から受信する受信手段と、複製許可情報に応じてコンテンツの複製を制御する制御手段とを具え、複製管理装置は、コンテンツ複製装置から受信した複製組合情報を予め登録して記憶する記憶手段と、コンテンツ複製装置からアクセスされたときに受信した複製組合情報と記憶手段に予め登録された複製組合情報とを比較し、媒体識別情報及び装置識別情報の組み合わせが相互に一致したか否かを判断し、一致したときには複製を許可する複製許可情報を生成し、一致しないときには複製を許可しない複製許可情報を生成する複製許可情報生成手段と、複製許可情報をコンテンツ複製装置へ送信する複製許可情報送信手段とを設けるようにする。
【００１５】
複製管理装置は、コンテンツ複製装置から受信した複製元記録媒体及びコンテンツ複製装置そのものを特徴付ける固有の媒体識別情報及び装置識別情報を当該コンテンツ複製装置におけるコンテンツ複製時の複製組合情報として予め登録しておき、コンテンツ複製装置によってアクセスされたときに当該コンテンツ複製装置から受信した複製組合情報と、予め登録しておいた複製組合情報とを比較して一致したときのみ複製を許可する複製許可情報をコンテンツ複製装置に送信することにより、当該コンテンツ複製装置における複製元記録媒体からのコンテンツの複製を複製元記録媒体毎に複製管理装置の制御の下に管理することができる。
【００１６】
また本発明においては、コンテンツの記録された複製元記録媒体そのものを特徴付ける固有の媒体識別情報及びコンテンツ複製装置そのものを示す固有の装置識別情報をコンテンツ複製時の複製組合情報としてコンテンツ複製装置からネットワークを介して受信し、コンテンツ複製装置から受信した複製組合情報を予め登録して記憶し、コンテンツ複製装置からアクセスされたときに受信した複製組合情報と予め登録された複製組合情報とを比較し、媒体識別情報及び装置識別情報の組み合わせが相互に一致したか否かを判断し、一致したときには複製を許可する複製許可情報を生成し、一致しないときには複製を許可しない複製許可情報を生成し、複製許可情報をコンテンツ複製装置へ送信することにより、複製許可情報に応じてコンテンツ複製装置における複製元記録媒体からのコンテンツの複製を複製元記録媒体毎に複製管理装置の制御の下に管理するようにする。
【００１７】
コンテンツ複製装置から受信した複製元記録媒体及びコンテンツ複製装置そのものを特徴付ける固有の媒体識別情報及び装置識別情報を当該コンテンツ複製装置におけるコンテンツ複製時の複製組合情報として予め登録しておき、コンテンツ複製装置によってアクセスされたときに当該コンテンツ複製装置から受信した複製組合情報と、予め登録しておいた複製組合情報とを比較して一致したときのみ複製を許可する複製許可情報をコンテンツ複製装置に送信することにより、当該コンテンツ複製装置における複製元記録媒体からのコンテンツの複製を複製元記録媒体毎に複製管理装置の制御の下に管理することができる。
【００１８】
さらに本発明においては、コンテンツの記録された複製元記録媒体そのものを特徴付ける固有の媒体識別情報及びコンテンツ複製装置そのものを示す固有の装置識別情報を取得し、媒体識別情報及び装置識別情報をコンテンツ複製時の複製組合情報としてネットワークを介して接続された複製管理装置へ送信し、複製組合情報が複製管理装置によって予め登録された後、改めて複製管理装置へアクセスしたときに送信した複製組合情報と予め登録された複製組合情報とが当該複製管理装置によって比較され、媒体識別情報及び装置識別情報の組み合わせが相互に一致したときにはコンテンツの複製を許可し、一致しないときには複製を許可しないように生成された複製許可情報を複製管理装置から受信し、複製許可情報に応じて複製を制御するようにする。
【００１９】
コンテンツの記録された複製元記録媒体そのものを特徴付ける固有の媒体識別情報及びコンテンツ複製装置そのものを示す固有の装置識別情報を取得し、当該媒体識別情報及び装置識別情報をコンテンツ複製時の複製組合情報としてネットワークを介して接続された複製管理装置へ送信し、複製組合情報が複製管理装置によって予め登録された後、改めて複製管理装置へアクセスしたときに送信した複製組合情報と予め登録された複製組合情報とが当該複製管理装置によって比較され、媒体識別情報及び装置識別情報の組み合わせが相互に一致したときに限ってコンテンツの複製を許可するように生成された複製許可情報を複製管理装置から受信し、当該複製許可情報に応じて複製を制御することにより、複製元記録媒体からのコンテンツの複製を複製元記録媒体毎に複製管理装置の制御の下に管理することができる。
【発明の実施の形態】
以下図面について、本発明の一実施の形態を詳述する。
【００２０】
（１）コンテンツ複製管理システムの全体構成
図１において、１は全体として本発明におけるコンテンツ複製管理システムを示し、各家庭内に設置されたハードディスク内蔵ＤＶＤプレーヤ２Ａ及び２Ｂと、当該ハードディスク内蔵ＤＶＤプレーヤ２Ａ及び２Ｂと例えばインターネットなどのネットワーク４を介して接続された管理サーバ３とによって構成されている。
【００２１】
ハードディスク内蔵ＤＶＤプレーヤ２Ａ、２Ｂは、当該ハードディスク内蔵ＤＶＤプレーヤ２Ａ、２Ｂに装填されたＤＶＤ１０Ａ、１０Ｂの記録済コンテンツを再生したり、または当該記録済コンテンツをハードディスクにコピーすることができ、さらに当該ハードディスクにコピーした複製コンテンツを再生し得るようになされている。
【００２２】
一方、管理サーバ３はハードディスク内蔵ＤＶＤプレーヤ２Ａ、２ＢによるＤＶＤ１０Ａ、１０Ｂの複製を管理するようになされている。
【００２３】
次に、ハードディスク内蔵ＤＶＤプレーヤ２Ａの回路構成をＤＶＤ１０Ａの記録済コンテンツを再生するコンテンツ再生モード、当該記録済コンテンツをハードディスクにコピーするコンテンツ複製モード、当該ハードディスクの複製コンテンツを再生する複製コンテンツ再生モードに分けてそれぞれ説明する。
【００２４】
ここでハードディスク内蔵ＤＶＤプレーヤ２Ｂについてはハードディスク内蔵ＤＶＤプレーヤ２Ａと全て同一の回路構成であるため、ハードディスク内蔵ＤＶＤプレーヤ２Ａの回路構成のみを説明し、ハードディスク内蔵ＤＶＤプレーヤ２Ｂの回路構成については省略する。
【００２５】
（２）コンテンツ再生モード
図２のようにコンテンツ複製管理システム１のハードディスク内蔵ＤＶＤプレーヤ２ＡはＣＰＵ（Ｃｅｎｔｒａｌ  Ｐｒｏｃｅｓｓｉｎｇ  Ｕｎｉｔ）でなる制御部２７が全体を統括制御するようになされており、当該制御部２７の制御によりＤＶＤ１０Ａの記録済コンテンツを再生するコンテンツ再生モードの説明を以下に示す。
【００２６】
ＯＰ（Ｏｐｔｉｃａｌ  Ｐｉｃｋｕｐ）２８はＤＶＤ１０Ａの記録面を読み取ることにより読取信号Ｓ１を得、これをＲＦ部２９へ送出する。ＲＦ部２９は読取信号Ｓ１の周波数特性を補正することにより補正信号Ｓ２を得、これを復調部３０へ送出する。
【００２７】
復調部３０は補正信号Ｓ２をＤＶＤフォーマットに従って復調することにより復調データＤ１を得、これをエラー訂正部３１へ送出する。エラー訂正部３１は復調データＤ１に対してエラー訂正処理を施すことにより再生データＤ２を得、これをＣＳＳ暗号解凍部３８に送出する。
【００２８】
ここで一般的なＤＶＤの記録済コンテンツの多くは複製を禁止するためにＣＳＳ（Ｃｏｎｔｅｎｔｓ  Ｓｃｒａｍｂｌｅ  Ｓｙｓｔｅｍ）と呼ばれる暗号化がなされており、再生データＤ２がＣＳＳ暗号化されていた場合、ＣＳＳ暗号解凍部３８は再生データＤ２のＣＳＳ暗号を解凍することによりＣＳＳ解凍データＤ３を得、これをＭＰＥＧ（Ｍｏｖｉｎｇ  Ｐｉｃｔｕｒｅ  Ｅｘｐｅｒｔ  Ｇｒｏｕｐ）デコード部３９へ送出する。
【００２９】
ＭＰＥＧデコード部３９はＣＳＳ解凍データＤ３をデコードすることにより映像データＤ４を得、これを出力部４０へ送出する。出力部４０は映像データＤ４を表示手段としてのテレビモニタ等（図示せず）へ出力するようになされている。
【００３０】
以上でコンテンツ複製管理システム１のハードディスク内蔵ＤＶＤプレーヤ２ＡによるＤＶＤ１０Ａの記録済コンテンツを再生するコンテンツ再生モードの説明を終了する。
【００３１】
（３）コンテンツ複製モード
次にコンテンツ複製管理システム１のハードディスク内蔵ＤＶＤプレーヤ２ＡによるＤＶＤ１０Ａの記録済コンテンツをハードディスクにコピーするコンテンツ複製モードの説明を図２、図３の回路構成及び図４、図５のフローチャートを用いて以下に示す。
【００３２】
ここでＤＶＤ１０Ａの記録済コンテンツは、以下に説明する複製処理方式が採用され、改竄や改造が行われないように機器が設計されたハードディスク内蔵ＤＶＤプレーヤ２Ａによって私的利用の場合に限り複製が許されるものとする。但し、当該ＤＶＤ１０Ａが例えばハードディスク内蔵ＤＶＤプレーヤ２Ｂによってコピーされることは私的利用の場合であっても許されないものとする。
【００３３】
当該コンテンツ複製モードには、ハードディスク内蔵ＤＶＤプレーヤ側複製処理と、管理サーバ側複製管理処理とがあり、まずはハードディスク内蔵ＤＶＤプレーヤ側複製処理から説明する。
【００３４】
図４に示すようにハードディスク内蔵ＤＶＤプレーヤ側複製処理として、ハードディスク内蔵ＤＶＤプレーヤ２Ａの制御部２７は、ルーチンＲＴ１の開始ステップから入ってステップＳＰ１へ移る。
【００３５】
ステップＳＰ１においてハードディスク内蔵ＤＶＤプレーヤ２Ａの制御部２７は、ＤＶＤ１０Ａが装填されたことを確認し、ＤＶＤ１０Ａを一定の速度で回転させ、次のステップＳＰ２へ移る。
【００３６】
ステップＳＰ２においてハードディスク内蔵ＤＶＤプレーヤ２Ａの制御部２７は、ＯＰ２８との相対角度が定められて固定されたＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラ２０でＤＶＤ１０Ａの印刷面に印刷された模様を記録面からＯＰ２８で読み取ったクロックに同期させて撮像する。このときハードディスク内蔵ＤＶＤプレーヤ２Ａの制御部２７は、記録面に記録された特定の物理アドレスに存在するデータブロックの同期信号をトリガーとして印刷面の撮像を開始し、所定時間後に終了する。その撮像結果として得られた所定時間分の輝度信号Ｓ３をフィルタ部２１へ送出する。
【００３７】
ハードディスク内蔵ＤＶＤプレーヤ２Ａの制御部２７は、フィルタ部２１で当該輝度信号Ｓ３のノイズを除去することにより媒体識別信号Ｓ４を得、これをクロック付加部２２へ送出する。ハードディスク内蔵ＤＶＤプレーヤ２Ａの制御部２７はクロック付加部２２によって当該媒体識別信号Ｓ４とＤＶＤ１０Ａの一回転分に相当するクロックを対応付けることにより、所定時間分の媒体識別信号Ｓ４からＤＶＤ１０Ａ一回転分の媒体識別信号波形Ｉｗを得、次のステップＳＰ３へ移る。
【００３８】
ここで、一般的なＤＶＤは製造過程において印刷面と記録面が別々に成型されていることから、印刷面と記録面との位置関係はＤＶＤ一枚毎に全て異なっている。従って記録面に記録された特定の物理アドレスに存在するデータブロックの同期信号をトリガーとして印刷面の撮像を開始することにより得られた媒体識別信号波形Ｉｗは、そのＤＶＤにおける印刷面と記録面との位置関係を表しており、当該位置関係はＤＶＤ一枚毎に固有の媒体識別情報となる。
【００３９】
このようにハードディスク内蔵ＤＶＤプレーヤ２Ａの制御部２７は、ＤＶＤ１０ＡからＤＶＤ一枚毎に固有の媒体識別情報Ｉｗを取り出すことにより、ＤＶＤ一枚一枚を識別し得るようになされている。
【００４０】
ステップＳＰ３においてハードディスク内蔵ＤＶＤプレーヤ２Ａの制御部２７は、コンテンツ再生モードの場合と同様にＯＰ２８でＤＶＤ１０Ａの記録面を読み取ることにより読取信号Ｓ１を得、これをＲＦ部２９へ送出する。
【００４１】
ハードディスク内蔵ＤＶＤプレーヤ２Ａの制御部２７は読取信号Ｓ１に対してＲＦ部２９、復調部３０及びエラー訂正部３１で上述の処理を施すことにより再生データＤ２を得、これをＩｔ取出部２５へ送出すると共に、当該再生データＤ２をＣＳＳ暗号解凍部３８へ送出し、ＣＳＳ暗号解凍部３８で当該再生データＤ２に対して所定の処理を施すことによりＣＳＳ解凍データＤ３を得、これを畳込部３２へ送出する。
【００４２】
ハードディスク内蔵ＤＶＤプレーヤ２Ａの制御部２７は、Ｉｔ取出部２５で再生データＤ２からＤＶＤ１０ＡのリードインエリアやＴＯＣ（Ｔａｂｌｅ  Ｏｆ  Ｃｏｔｅｔｎｔ）に記録されているタイトル識別情報Ｉｔを取り出し、ステップＳＰ４へ移る。
【００４３】
ステップＳＰ４においてハードディスク内蔵ＤＶＤプレーヤ２Ａの制御部２７は、不揮発性メモリ等でなるデータ蓄積部２６からハードディスク内蔵ＤＶＤプレーヤ毎に設定された固有の装置識別情報Ｉｄｄｒｖを読み出し、ステップＳＰ２で得られた媒体識別情報Ｉｗと、ステップＳＰ３で得られたタイトル識別情報Ｉｔと共に当該装置識別情報Ｉｄｄｒｖを多重化部２３へ送出する。
【００４４】
ハードディスク内蔵ＤＶＤプレーヤ２Ａの制御部２７は、多重化部２３でタイトル識別情報Ｉｔと媒体識別情報Ｉｗ及び装置識別情報Ｉｄｄｒｖとを多重化することにより多重化信号Ｓ５を得、これを送受信部２４へ送出すると共に畳込部３２へ送出する。
【００４５】
ハードディスク内蔵ＤＶＤプレーヤ２Ａの制御部２７は、送受信部２４で多重化信号Ｓ５に対して所定の送信処理を施した後に管理サーバ３へ送信し、次のステップＳＰ５（図５）へ移る。このときのハードディスク内蔵ＤＶＤプレーヤ２Ａと管理サーバ３との通信路はＶＰＮ（Ｖｉｒｔｕａｌ  Ｐｒｉｖａｔｅ  Ｎｅｔｗｏｒｋ）のような安全な通信路であることが望ましい。
【００４６】
このようにハードディスク内蔵ＤＶＤプレーヤ２Ａの制御部２７は、ＤＶＤ１０Ａの媒体識別情報Ｉｗとタイトル識別情報Ｉｔ及び当該ハードディスク内蔵ＤＶＤプレーヤ２Ａの装置識別情報Ｉｄｄｒｖとを管理サーバ３へ送信することにより、当該ＤＶＤ１０Ａが当該ハードディスク内蔵ＤＶＤプレーヤ２Ａによってコピーされようとしていることを管理サーバ３へ伝えることができるようになされている。
【００４７】
ここで一旦管理サーバ側複製管理処理へ移る。図３に示すように管理サーバ３はＣＰＵでなる制御部５１が全体を統括制御するようになされており、ＤＶＤ１０Ａ、１０Ｂ及びハードディスク内蔵ＤＶＤプレーヤ２Ａ、２Ｂを識別するための後述する識別情報データを識別情報データベース５５に記憶管理している。
【００４８】
この場合の識別情報データベース５５の内容を図６（Ａ）及び（Ｂ）に示す。すなわち識別情報データベース５５は組合番号ＫＮｏ、ＤＶＤのタイトル識別情報Ｉｔ、当該ＤＶＤを複製したハードディスク内蔵ＤＶＤプレーヤの装置識別情報Ｉｄｄｒｖ、当該ＤＶＤの媒体識別情報Ｉｗ、位相差情報Ｐ（後述する）とを１つの識別情報データとして記憶管理する。
【００４９】
ここで組合番号ＫＮｏとは、ＤＶＤのタイトル識別情報Ｉｔ、媒体識別情報Ｉｗとハードディスク内蔵ＤＶＤプレーヤの装置識別情報Ｉｄｄｒｖ及び位相差情報Ｐとの組み合わせを管理するための識別情報データ毎に固有の番号であるものとし、以降の説明において例えば組合番号ＫＮｏが「Ｍ０００００１」である識別情報データを識別情報データ「Ｍ０００００１」と示すことにする。
【００５０】
またここでは媒体識別情報Ｉｗの波形信号自体はハードディスク等でなるＩｗ蓄積部５４へ蓄積され、識別情報データベース５５には媒体識別情報Ｉｗの波形信号の保存場所を示すファイル名が格納されている。
【００５１】
図６（Ａ）に示すように、実際のコンテンツ複製管理システム１運用時においては、管理サーバ３の管理者が不正な複製を防止したいＤＶＤのタイトル識別情報Ｉｔを持つ例えば識別情報データ「Ｍ０００００１」、「Ｍ０００００２」を当該ＤＶＤの発売前やレンタル前に当該ＤＶＤのタイトル識別情報Ｉｔ毎に予め識別情報データベース５５に登録しておく必要がある。また発売後であっても諸情報を登録すれば、それ以降は不正な複製を防止することができる。
【００５２】
この場合、例えば識別情報データ「Ｍ０００００１」は、不正な複製を防止したいＤＶＤのタイトル識別情報Ｉｔ「ＤＶＤ００００１０」と当該ＤＶＤの媒体識別情報Ｉｗ「Ｃ：￥ｗａｖｄａｔ￥ＤＶＤ００００１０．０００」との組み合わせを持つ識別情報データであり、これを以下、基準識別情報データ「Ｍ０００００１」、とし、基準識別情報データ「Ｍ０００００１」の媒体識別情報Ｉｗを以下、基準波形Ｉｗとする。
【００５３】
このことは管理サーバ３が、識別情報データベース５５に例えばタイトル識別情報Ｉｔ「ＤＶＤ００００１０」、「ＤＶＤ０００２３０」を持つ基準識別情報データ「Ｍ０００００１」、「Ｍ０００００２」が登録されているＤＶＤについては不正な複製を防止したいＤＶＤであると認識し、識別情報データベース５５にタイトル識別情報Ｉｔを持つ基準識別情報データが登録されていないＤＶＤについては自由に複製してよいＤＶＤであると認識することを表している。
【００５４】
また図６（Ｂ）に示すように、コンテンツ複製管理システム１内のハードディスク内蔵ＤＶＤプレーヤ２Ａ、２ＢがＤＶＤ１０Ａ、１０Ｂを私的利用を目的としてコピーした際には例えば識別情報データ「Ｕ０００００１」、「Ｕ０００００２」、「Ｕ０００００３」、「Ｕ０００００４」が識別情報データベース５５に登録される。
【００５５】
この場合、例えば識別情報データ「Ｕ０００００１」は、コピーされたＤＶＤ１０Ａのタイトル識別情報Ｉｔ「ＤＶＤ００００１０」、当該ＤＶＤ１０Ａをコピーしたハードディスク内蔵ＤＶＤプレーヤ２Ａの装置識別情報「ＨＤＤ０００１５０」、当該ＤＶＤ１０Ａの媒体識別情報Ｉｗ「Ｃ：￥ｗａｖｄａｔ￥ＤＶＤ００００１０．００２」、基準識別情報データ「Ｍ０００００１」の基準波形Ｉｗ「Ｃ：￥ｗａｖｄａｔ￥ＤＶＤ００００１０．０００」と当該媒体識別情報Ｉｗ「Ｃ：￥ｗａｖｄａｔ￥ＤＶＤ００００１０．００２」との位相差である位相差情報Ｐ「２」（後述する）の組み合わせを持つ識別情報データであり、これを以下、ユーザ識別情報データ「Ｕ０００００１」とする。
【００５６】
このように識別情報データベース５５は基準識別情報データ「Ｍ０００００１」、「Ｍ０００００２」、…及びユーザ識別情報データ「Ｕ０００００１」、「Ｕ０００００２」、…を蓄積しており、これにより管理サーバ３は不正な複製を防止したいＤＶＤを管理すると共に当該ＤＶＤがいずれのハードディスク内蔵ＤＶＤプレーヤによってコピーされたかを管理するようになされている。
【００５７】
管理サーバ側複製管理処理として、管理サーバ３の制御部５１はルーチンＲＴ２（図４）から入ってステップＳＰ２０へ移る。ステップＳＰ２０において管理サーバ３の制御部５１は、ステップＳＰ４でハードディスク内蔵ＤＶＤプレーヤ２Ａから送信された多重化信号Ｓ５を送受信部５２で受信して所定の受信処理を施し、復号部５３で復号することによりＤＶＤ１０Ａのタイトル識別情報Ｉｔと媒体識別情報Ｉｗ及びハードディスク内蔵ＤＶＤプレーヤ２Ａの装置識別情報Ｉｄｄｒｖを得、次のステップＳＰ２１へ移る。
【００５８】
ここでは一例としてＤＶＤ１０Ａのタイトル識別情報Ｉｔを「ＤＶＤ００００１０」、ハードディスク内蔵ＤＶＤプレーヤ２Ａの装置識別情報Ｉｄｄｒｖを「ＨＤＤ０００１５０」であるとして以下説明する。ただし媒体識別情報Ｉｗについてはハードディスク内蔵ＤＶＤプレーヤ２Ａから送信された波形信号そのものであるため、符号は用いない。
【００５９】
ステップＳＰ２１において管理サーバ３の制御部５１は、ＤＶＤ１０Ａのタイトル識別情報Ｉｔ「ＤＶＤ００００１０」と識別情報データベース５５に蓄積してある基準識別情報データ「Ｍ０００００１」、「Ｍ０００００２」、…のタイトル識別情報Ｉｔとを照合部５０で照合し、次のステップＳＰ２２へ移る。
【００６０】
ステップＳＰ２２において管理サーバ３の制御部５１は、ステップＳＰ２１の照合結果に基づいてＤＶＤ１０Ａのタイトル識別情報Ｉｔ「ＤＶＤ００００１０」が識別情報データベース５５の基準識別情報データ「Ｍ０００００１」、「Ｍ０００００２」、…のいずれかに存在するか否かを判定する。
【００６１】
ここで否定結果が得られると、このことはＤＶＤ１０Ａのタイトル識別情報Ｉｔ「ＤＶＤ００００１０」が識別情報データベース５５の基準識別情報データ「Ｍ０００００１」、「Ｍ０００００２」、…に存在しないこと、すなわち管理サーバ３の制御部５１は、ＤＶＤ１０Ａの記録済コンテンツを自由に複製してよいコンテンツであるとみなし、ステップＳＰ３０へ移る。
【００６２】
ステップＳＰ３０において管理サーバ３の制御部５１は、複製禁止フラグＮｃｐを「０」として、ステップＳＰ３２（図５）へ移る。ここではＤＶＤ１０Ａの記録済コンテンツの複製を許可する場合には複製禁止フラグＮｃｐを「０」に設定し、複製を禁止する場合には「１」に設定する。
【００６３】
ステップＳＰ３２において管理サーバ３の制御部５１は、複製禁止フラグＮｃｐに対して送受信部５２で所定の送信処理を施した後にハードディスク内蔵ＤＶＤプレーヤ２Ａへ送信し、次のステップＳＰ３３へ移る。
【００６４】
このように管理サーバ３の制御部５１は、識別情報データベース５５にＤＶＤ１０Ａのタイトル識別情報Ｉｔ「ＤＶＤ００００１０」を持つ基準識別情報データが登録されていない場合には、後述する当該ＤＶＤ１０Ａの媒体識別情報Ｉｗ及びハードディスク内蔵ＤＶＤプレーヤ２Ａの装置識別情報Ｉｄｄｒｖ「ＨＤＤ０００１５０」の照合処理（ステップＳＰ２３からステップＳＰ２９）をスキップしてＤＶＤ１０Ａの記録済コンテンツの複製許可を示す複製禁止フラグＮｃｐをハードディスク内蔵ＤＶＤプレーヤ２Ａに送信することにより、管理サーバ３での複製管理処理を簡略化することができる。
【００６５】
これに対してステップＳＰ２２（図４）で肯定結果が得られると、このことはＤＶＤ１０Ａのタイトル識別情報Ｉｔ「ＤＶＤ００００１０」が識別情報データベース５５の基準識別情報データ「Ｍ０００００１」、「Ｍ０００００２」、…のいずれかに存在すること、すなわち管理サーバ３の制御部５１はＤＶＤ１０Ａの記録済コンテンツを不正な複製が禁止されているコンテンツであるとみなし、このとき管理サーバ３の制御部５１は、次のステップＳＰ２３へ移る。
【００６６】
ステップＳＰ２３において管理サーバ３の制御部５１は、ハードディスク内蔵ＤＶＤプレーヤ２Ａの装置識別情報Ｉｄｄｒｖ「ＨＤＤ０００１５０」と識別情報データベース５５に蓄積された装置識別情報Ｉｄｄｒｖとを照合部５０で照合し、次のステップＳＰ２４へ移る。
【００６７】
ステップＳＰ２４において管理サーバ３の制御部５１は、ステップＳＰ２３の照合結果に基づいてハードディスク内蔵ＤＶＤプレーヤ２Ａの装置識別情報Ｉｄｄｒｖが識別情報データベース５５に存在するか否かを判定する。
【００６８】
ここで否定結果が得られると、このことはハードディスク内蔵ＤＶＤプレーヤ２Ａの装置識別情報Ｉｄｄｒｖ「ＨＤＤ０００１５０」が管理サーバ３の制御部５１によって識別情報データベース５５に登録されていないこと、すなわち当該ハードディスク内蔵ＤＶＤプレーヤ２ＡがＤＶＤ１０Ａの記録済コンテンツをハードディスク３４にコピーする複製処理をこれから初めて行うことを表しており、このとき管理サーバ３の制御部５１は、次のステップＳＰ２５へ移る。
【００６９】
ステップＳＰ２５において管理サーバ３の制御部５１は、ハードディスク内蔵ＤＶＤプレーヤ２Ａの装置識別情報Ｉｄｄｒｖを識別情報データベース５５に登録し、ステップＳＰ２４へ移る。
【００７０】
これに対してステップＳＰ２４で肯定結果が得られると、このことはハードディスク内蔵ＤＶＤプレーヤ２Ａの装置識別情報Ｉｄｄｒｖ「ＨＤＤ０００１５０」が管理サーバ３の制御部５１によって識別情報データベース５５に登録されていることを表しており、このとき管理サーバ３の制御部５１は、ステップＳＰ２６へ移る。
【００７１】
ステップＳＰ２６において管理サーバ３の制御部５１は、ＤＶＤ１０Ａの媒体識別情報ＩｗとＩｗ蓄積部５４に蓄積された媒体識別情報Ｉｗとを照合部５０で照合し、ステップＳＰ２７へ移る。
【００７２】
この場合、媒体識別情報Ｉｗは波形信号そのものであり、ＤＶＤ１０Ａの媒体識別情報ＩｗとＩｗ蓄積部５４に蓄積された全ての媒体識別情報Ｉｗとを照合するには時間を要するため、それをする代わりに管理サーバ３の制御部５１は、ＤＶＤ１０Ａのタイトル識別情報Ｉｔ「ＤＶＤ００００１０」と同じタイトル識別情報Ｉｔ「ＤＶＤ００００１０」を持つ例えば基準識別情報データ「Ｍ０００００１」の基準波形Ｉｗ「Ｃ：￥ｗａｖｄａｔ￥ＤＶＤ００００１０．０００」とＤＶＤ１０Ａの媒体識別情報Ｉｗとを比較することにより位相差を検出し、その検出結果である位相差と、ＤＶＤ１０Ａのタイトル識別情報Ｉｔ「ＤＶＤ００００１０」と同じタイトル識別情報Ｉｔ「ＤＶＤ００００１０」を持つユーザ識別情報データ「Ｕ０００００１」、「Ｕ０００００２」の位相差情報Ｐとに基づいて照合する。
【００７３】
まず管理サーバ３の制御部５１は照合部５０で基準識別情報データ「Ｍ０００００１」、「Ｍ０００００２」、…のうちＤＶＤ１０Ａのタイトル識別情報Ｉｔ「ＤＶＤ００００１０」と同じタイトル識別情報Ｉｔ「ＤＶＤ００００１０」を持つ例えば基準識別情報データ「Ｍ０００００１」を識別情報データベース５５から検索し、当該基準識別情報データ「Ｍ０００００１」の基準波形Ｉｗ「Ｃ：￥ｗａｖｄａｔ￥ＤＶＤ００００１０．０００」とＤＶＤ１０Ａの媒体識別情報Ｉｗとの相関を取る。このとき管理サーバ３の制御部５１は相関を取る手法としてＳＰＯＭＦ（Ｓｙｍｍｅｔｒｉｃ  Ｐｈａｓｅ−Ｏｎｌｙ  Ｍａｔｃｈｅｄ  Ｆｉｌｔｅｒｉｎｇ）等を用いる。
【００７４】
次に管理サーバ３の制御部５１は相関が取れた時の基準識別情報データ「Ｍ０００００１」の基準波形Ｉｗ「Ｃ：￥ｗａｖｄａｔ￥ＤＶＤ００００１０．０００」とＤＶＤ１０Ａの媒体識別情報Ｉｗとの位相差を検出し、当該位相差をＤＶＤ１０Ａの位相差情報Ｐとする。
【００７５】
ここでは、一例として検出した結果得られた位相差を「２」とし、ＤＶＤ１０Ａの位相差情報Ｐ「２」とする。
【００７６】
そして管理サーバ３の制御部５１はユーザ識別情報データ「Ｕ０００００１」、「Ｕ０００００２」、…のうちＤＶＤ１０Ａのタイトル識別情報Ｉｔ「ＤＶＤ００００１０」と同様のタイトル識別情報Ｉｔ「ＤＶＤ００００１０」を持つ例えばユーザ識別情報データ「Ｕ０００００１」、「Ｕ０００００２」を識別情報データベース５５から検索し、当該ユーザ識別情報データ「Ｕ０００００１」、「Ｕ０００００２」の中でＤＶＤ１０Ａの位相差情報Ｐ「２」と当該ユーザ識別情報データの位相差情報Ｐとを照合する。
【００７７】
ここで位相差情報Ｐは、ＤＶＤ１０Ａの媒体識別情報ＩｗがＤＶＤ１０Ａのタイトル識別情報Ｉｔ「ＤＶＤ００００１０」と同様のタイトル識別情報Ｉｔ「ＤＶＤ００００１０」を持つ基準識別情報データ「Ｍ０００００１」の基準波形Ｉｗ「Ｃ：￥ｗａｖｄａｔ￥ＤＶＤ００００１０．０００」からどれだけずれているのかを表している。
【００７８】
すなわちＤＶＤ１０Ａのタイトル識別情報Ｉｔ「ＤＶＤ００００１０」と同様のタイトル識別情報Ｉｔ「ＤＶＤ００００１０」を持つとともにＤＶＤ１０Ａの位相差情報Ｐ「２」と等しい位相差情報Ｐ「２」を持つユーザ識別情報「Ｕ０００００１」は、ＤＶＤ１０Ａと同じ媒体識別情報Ｉｗを持っていることになるので、ユーザ識別情報「Ｕ０００００１」は、ＤＶＤ１０Ａをコピーした際に識別情報データベース５５に登録されたものであるといえる。
【００７９】
具体的に図６を用いて説明する。管理サーバ３の制御部５１はＤＶＤ１０Ａのタイトル識別情報Ｉｔ「ＤＶＤ００００１０」と等しいタイトル識別情報Ｉｔ「ＤＶＤ００００１０」を持つ例えば基準識別情報データ「Ｍ０００００１」を識別情報データベース５５から検索し、当該基準識別情報データ「Ｍ０００００１」の基準波形Ｉｗ「Ｃ：￥ｗａｖｄａｔ￥ＤＶＤ００００１０．０００」とＤＶＤ１０Ａの媒体識別情報Ｉｗとの位相差を検出する。
【００８０】
管理サーバ３の制御部５１は、その検出結果に基づいて位相差が「２」であったとすると、そのＤＶＤ１０Ａが位相差情報Ｐ「２」を有するものであると判断することができる。
【００８１】
そして管理サーバ３の制御部５１は、タイトル識別情報Ｉｔ「ＤＶＤ００００１０」、位相差情報Ｐ「２」を有するユーザ識別情報データ「Ｕ０００００１」を識別情報データベース５５から検出する。
【００８２】
このように管理サーバ３の制御部５１は、ＤＶＤ１０Ａのタイトル識別情報Ｉｔ「ＤＶＤ００００１０」と同じタイトル識別情報Ｉｔ「ＤＶＤ００００１０」を持つ例えば基準識別情報データ「Ｍ０００００１」の基準波形Ｉｗ「Ｃ：￥ｗａｖｄａｔ￥ＤＶＤ００００１０．０００」とＤＶＤ１０Ａの媒体識別情報Ｉｗとを照合した結果得られる位相差情報Ｐの値と、ＤＶＤ１０Ａのタイトル識別情報Ｉｔ「ＤＶＤ００００１０」と同じタイトル識別情報Ｉｔ「ＤＶＤ００００１０」を持つ例ええばユーザ識別情報データ「Ｕ０００００１」、「Ｕ０００００２」の位相差情報Ｐの値とを比較することにより、ＤＶＤ１０Ａの媒体識別情報Ｉｗと識別情報データベース５５に蓄積された全ての媒体識別情報Ｉｗとを照合した場合と同様の結果を一段と短時間で得ることができる。
【００８３】
ステップＳＰ２７において管理サーバ３の制御部５１は、ステップＳＰ２６の照合結果に基づいてＤＶＤ１０Ａの媒体識別情報Ｉｗが識別情報データベース５５に存在するか否かを判定する。すなわちＤＶＤ１０Ａのタイトル識別情報Ｉｔ「ＤＶＤ００００１０」及び位相差情報Ｐ「２」と同様のタイトル識別情報Ｉｔ「ＤＶＤ００００１０」及び位相差情報Ｐ「２」を持つユーザ識別情報データが識別情報データベース５５に存在するか否かを判定する。
【００８４】
ここで否定結果が得られると、このことはＤＶＤ１０Ａの媒体識別情報Ｉｗが管理サーバ３の制御部５１によって識別情報データベース５５に登録されていないことを表しており、このとき管理サーバ３の制御部５１はステップＳＰ２８へ移る。
【００８５】
ステップＳＰ２８において管理サーバ３の制御部５１は、例えば組合番号ＫＮｏ「Ｕ０００００１」、ＤＶＤ１０Ａのタイトル識別情報Ｉｔ「ＤＶＤ００００１０」、媒体識別情報Ｉｗ「Ｃ：￥ｗａｖｄａｔ￥ＤＶＤ００００１０．００２」、ハードディスク内蔵ＤＶＤプレーヤ２Ａの装置識別情報Ｉｄｄｒｖ「ＨＤＤ０００１５０」と、ステップＳＰ２６で得られた位相差情報Ｐ「２」とを１つのユーザ識別情報データ「Ｕ００００００１」として、識別情報データベース５５に登録し、ステップＳＰ２７へ移る。
【００８６】
このように管理サーバ３の制御部５１は、ＤＶＤ１０Ａの記録済コンテンツが一度もコピーされていない場合には、当該ＤＶＤ１０Ａの記録済コンテンツがハードディスク内蔵ＤＶＤプレーヤ２Ａによってコピーされたことを示す例えばユーザ識別情報データ「Ｕ０００００１」を識別情報データベース５５に登録することにより、これ以降ＤＶＤ１０Ａの記録済コンテンツがハードディスク内蔵ＤＶＤプレーヤ２Ａでのみ複製を許可されていると認識することができる。
【００８７】
これに対してステップＳＰ２７で肯定結果が得られると、このことはＤＶＤ１０Ａの媒体識別情報Ｉｗが管理サーバ３の制御部５１によって識別情報データベース５５に登録されていることを表しており、このとき管理サーバ３の制御部５１は、ステップＳＰ２９へ移る。
【００８８】
ステップＳＰ２９において管理サーバ３の制御部５１は、ＤＶＤ１０Ａのタイトル識別情報Ｉｔ「ＤＶＤ００００１０」と媒体識別情報Ｉｗ及びハードディスク内蔵ＤＶＤプレーヤ２Ａの装置識別情報Ｉｄｄｒｖ「ＨＤＤ０００１５０」との組み合わせと同様の組み合わせを持つユーザ識別情報データが識別情報データベース５５に存在するか否かを判定する。
【００８９】
ここで肯定結果が得られると、このことはＤＶＤ１０Ａのタイトル識別情報Ｉｔ「ＤＶＤ００００１０」と媒体識別情報Ｉｗ及びハードディスク内蔵ＤＶＤプレーヤ２Ａの装置識別情報Ｉｄｄｒｖ「ＨＤＤ０００１５０」との組み合わせと同様の組み合わせを持つ例えばユーザ識別情報データ「Ｕ０００００１」が管理サーバ３の制御部５１によって識別情報データベース５５に登録されていること、すなわち当該ＤＶＤ１０Ａの記録済コンテンツはハードディスク内蔵ＤＶＤプレーヤ２Ａで正規ユーザが私的利用する場合に限ってコピーすることが許可されているコンテンツであることを表しており、このとき管理サーバ３の制御部５１は、ステップＳＰ３０へ移る。
【００９０】
ステップＳＰ３０において管理サーバ３の制御部５１は、複製禁止フラグＮｃｐを「０」として、ステップＳＰ３２（図５）へ移る。
【００９１】
これに対してステップＳＰ２９（図４）で否定結果が得られると、このことはＤＶＤ１０Ａのタイトル識別情報Ｉｔ「ＤＶＤ００００１０」と媒体識別情報Ｉｗ及びハードディスク内蔵ＤＶＤプレーヤ２Ａの装置識別情報Ｉｄｄｒｖ「ＨＤＤ０００１５０」との組み合わせと同様の組み合わせを持つユーザ識別情報データが識別情報データベース５５に登録されていないこと、すなわちＤＶＤ１０Ａの記録済コンテンツは当該ハードディスク内蔵ＤＶＤプレーヤ２Ａでコピーすることが禁止されているコンテンツであることを表しており、このとき管理サーバ３の制御部５１は、ステップＳＰ３１へ移る。
【００９２】
具体的に図６を用いて説明する。管理サーバ３の制御部５１はＤＶＤ１０Ａのタイトル識別情報Ｉｔ「ＤＶＤ００００１０」と位相差情報Ｐ「２」及びハードディスク内蔵ＤＶＤプレーヤ２Ａの装置識別情報Ｉｄｄｒｖ「ＨＤＤ００１５０」との組み合わせと同様の組み合わせを持つユーザ識別情報データを識別情報データベース５５から検索する。
【００９３】
このとき管理サーバ３の制御部５１は、その検索結果に基づいてタイトル識別情報Ｉｔ「ＤＶＤ００００１０」と位相差情報Ｐ「２」及び装置識別情報Ｉｄｄｒｖ「ＨＤＤ００１５０」との組み合わせと同様の組み合わせを持つユーザ識別情報データが識別情報データベース５５に存在しないと判断した場合、ハードディスク内蔵ＤＶＤプレーヤ２Ａ以外の例えばハードディスク内蔵ＤＶＤプレーヤ２ＢによってＤＶＤ１０Ａが既にコピーされているということを認識したことと同義である。
【００９４】
ステップＳＰ３１において管理サーバ３の制御部５１は、複製禁止フラグＮｃｐを「１」として、次のステップＳＰ３２（図５）へ移る。
【００９５】
ステップＳＰ３２において管理サーバ３の制御部５１は、複製禁止フラグＮｃｐに対して送受信部５２で所定の送信処理を施した後にハードディスク内蔵ＤＶＤプレーヤ２Ａへ送信し、次のステップＳＰ３３へ移って管理サーバ側複製管理処理を終了する。
【００９６】
このように管理サーバ３の制御部５１は、ハードディスク内蔵ＤＶＤプレーヤ２Ａから送信されたＤＶＤ１０Ａのタイトル識別情報Ｉｔ「ＤＶＤ００００１０」と媒体識別情報Ｉｗとハードディスク内蔵ＤＶＤプレーヤ２Ａの装置識別情報Ｉｄｄｒｖ「ＨＤＤ００１５０」及びこれらの組み合わせを識別情報データベース５５と照合し、その照合結果に基づいてＤＶＤ１０Ａの記録済コンテンツがハードディスク内蔵ＤＶＤプレーヤ２Ａでのみ複製を許可されているコンテンツであるか否かを判断する。
【００９７】
その結果、複製が許可されているコンテンツであると判断した場合に複製許可を示す複製禁止フラグＮｃｐ「０」をハードディスク内蔵ＤＶＤプレーヤ２Ａに送信し、複製が禁止されているコンテンツであると判断した場合に複製禁止を示す複製禁止フラグＮｃｐ「１」をハードディスク内蔵ＤＶＤプレーヤ２Ａに送信するようになされている。
【００９８】
ここで再びハードディスク内蔵ＤＶＤプレーヤ側複製処理へ戻る。ステップＳＰ５（図５）においてハードディスク内蔵ＤＶＤプレーヤの制御部２７は、ステップＳＰ３２で管理サーバ３から送信された複製禁止フラグＮｃｐを送受信部２４で受信し、次のステップＳＰ６へ移る。
【００９９】
ステップＳＰ６においてハードディスク内蔵ＤＶＤプレーヤ２Ａの制御部２７は、複製禁止フラグＮｃｐが「０」であるか否かを判定する。
【０１００】
ここで否定結果が得られると、このことは複製禁止フラグＮｃｐが「１」であること、すなわちハードディスク内蔵ＤＶＤプレーヤ２ＡによってＤＶＤ１０Ａの記録済コンテンツをコピーすることが禁止されていることを表しており、このときハードディスク内蔵ＤＶＤプレーヤ２Ａの制御部２７は、次のステップＳＰ１０へ移る。
【０１０１】
ステップＳＰ１０においてハードディスク内蔵ＤＶＤプレーヤ２Ａの制御部２７は、データ蓄積部２６に予め蓄積してある複製禁止を警告するためのテキストデータを読み出し、表示制御部３７から図７（Ａ）の警告画面１００をテレビモニタ等（図示せず）へ表示して、次のステップＳＰ１１へ移る。
【０１０２】
これに対してステップＳＰ６で肯定結果が得られると、このことは複製禁止フラグＮｃｐが「０」であること、すなわちハードディスク内蔵ＤＶＤプレーヤ２ＡによってＤＶＤ１０Ａの記録済コンテンツを正規ユーザが私的利用を目的としてコピーすることが許可されていることを表しており、このときハードディスク内蔵ＤＶＤプレーヤ２Ａの制御部２７は、次のステップＳＰ７へ移る。
【０１０３】
ステップＳＰ７においてハードディスク内蔵ＤＶＤプレーヤ２Ａの制御部２７は、ＤＶＤ１０Ａのタイトル識別情報Ｉｔ「ＤＶＤ００００１０」と媒体識別情報Ｉｗ及びハードディスク内蔵ＤＶＤプレーヤ２Ａの装置識別情報Ｉｄｄｒｖ「ＨＤＤ００１５０」とを多重化部２３で多重化することにより得られた多重化信号Ｓ５を畳込部３２でＣＳＳ解凍データＤ３に畳み込むことにより畳込データＤ５を得、これをＩｄｄｒｖ暗号化部３３へ送出し、次のステップＳＰ８へ移る。
【０１０４】
ステップＳＰ８においてハードディスク内蔵ＤＶＤプレーヤ２Ａの制御部２７は、畳込データＤ５に対してＤＥＳ（Ｄａｔａ  Ｅｎｃｒｙｐｔｉｏｎ  Ｓｔａｎｄａｒｄ）方式等の暗号方式を用いて装置識別情報Ｉｄｄｒｖ「ＨＤＤ００１５０」を鍵とした暗号化を行うことにより複製データＤ６を得、これをハードディスク３４へ送出し、次のステップＳＰ９へ移る。
【０１０５】
ステップＳＰ９においてハードディスク内蔵ＤＶＤプレーヤ２Ａの制御部２７は、複製データＤ６をハードディスク３４に記録し、次のステップＳＰ１１へ移ってハードディスク内蔵ＤＶＤプレーヤ側複製処理を終了する。
【０１０６】
以上でコンテンツ複製管理システム１のハードディスク内蔵ＤＶＤプレーヤによるＤＶＤ１０Ａの記録済コンテンツをハードディスク３４へコピーする複製モードの説明を終了する。
【０１０７】
このようにハードディスク内蔵ＤＶＤプレーヤ２Ａは、装填されたＤＶＤ１０Ａの印刷面からＤＶＤ一枚毎に固有の媒体識別情報Ｉｗを取り出すことができるので、例えば製造番号のような固有値が記録面に記録されていないＤＶＤであっても一枚一枚個別に識別することができる。
【０１０８】
またハードディスク内蔵ＤＶＤプレーヤ２Ａは、ＤＶＤ１０Ａのタイトル識別情報Ｉｔ「ＤＶＤ００００１０」、媒体識別情報Ｉｗ及びハードディスク内蔵ＤＶＤプレーヤ２Ａの装置識別情報Ｉｄｄｒｖ「ＨＤＤ０００１５０」を管理サーバ３へ送信してＤＶＤ１０Ａの記録済コンテンツの複製が許可されているか、または禁止されているかを示す複製禁止フラグＮｃｐを管理サーバ３に問い合わせるようにした。
【０１０９】
そして管理サーバ３は、受信したＤＶＤ１０Ａのタイトル識別情報Ｉｔ「ＤＶＤ００００１０」、媒体識別情報Ｉｗ及びハードディスク内蔵ＤＶＤプレーヤ２Ａの装置識別情報Ｉｄｄｒｖ「ＨＤＤ０００１５０」の組み合わせに基づいて複製禁止フラグＮｃｐを生成し、これをハードディスク内蔵ＤＶＤプレーヤ２Ａへ送信するようにした。
【０１１０】
そしてハードディスク内蔵ＤＶＤプレーヤ２Ａは、受信した複製禁止フラグＮｃｐに応じてＤＶＤ１０Ａの記録済コンテンツの複製を制御するようにした。
【０１１１】
これによりハードディスク内蔵ＤＶＤプレーヤ２Ａは、管理サーバ３の管理の下にＤＶＤ１０Ａの記録済コンテンツの複製を制御することができるので、ＤＶＤ１０Ａの記録済コンテンツが例えばハードディスク内蔵ＤＶＤプレーヤ２Ａ以外の他のハードディスク内蔵ＤＶＤプレーヤでコピーされていない場合、すなわちＤＶＤ１０Ａの記録済コンテンツを正規ユーザが私的利用を目的としてコピーする場合に限ってＤＶＤ１０Ａの記録済コンテンツをハードディスク３４へコピーすることができる。
【０１１２】
一方ハードディスク内蔵ＤＶＤプレーヤ２Ａは、ＤＶＤ１０Ａの記録済コンテンツが例えばハードディスク内蔵ＤＶＤプレーヤ２Ａ以外の他のハードディスク内蔵ＤＶＤプレーヤで既にコピーされていた場合、すなわち他のハードディスク内蔵ＤＶＤプレーヤでコピーされたことがあるＤＶＤ１０Ａの記録済コンテンツをハードディスク内蔵ＤＶＤプレーヤ２Ａでコピーしようとした場合に複製禁止の警告を表示して複製を禁止することができる。
【０１１３】
さらにハードディスク内蔵ＤＶＤプレーヤ２Ａは、装填されたＤＶＤ１０Ａから媒体識別情報Ｉｗと共にタイトル識別情報Ｉｔ「ＤＶＤ００００１０」を取り出し、これらを管理サーバ３へ送信するようにした。
【０１１４】
そして管理サーバ３は、受信した当該ＤＶＤ１０Ａのタイトル識別情報Ｉｔ「ＤＶＤ００００１０」に基づいて照合対象をタイトル識別情報Ｉｔ「ＤＶＤ００００１０」を持つ例えばユーザ識別情報データ「Ｕ０００００１」、「Ｕ０００００２」にしぼることにより、ＤＶＤ１０Ａのタイトル識別情報Ｉｔ「ＤＶＤ００００１０」を用いずに照合するよりも、照合処理を簡略化することができる。
【０１１５】
（４）複製コンテンツ再生モード
次に、コンテンツ複製管理システム１のハードディスク内蔵ＤＶＤプレーヤ２Ａによるハードディスク３４にコピーした複製コンテンツを再生する複製コンテンツ再生モードの説明を図２、図３の回路構成及び図８のフローチャートを用いて以下に示す。
【０１１６】
当該複製コンテンツ再生モードには、ハードディスク内蔵ＤＶＤプレーヤ側再生処理と、管理サーバ側再生管理処理とがあり、まずはハードディスク内蔵ＤＶＤプレーヤ側再生処理から説明する。
【０１１７】
ハードディスク内蔵ＤＶＤプレーヤ側再生処理として、図８に示すようにハードディスク内蔵ＤＶＤプレーヤ２Ａの制御部２７は、ルーチンＲＴ３の開始ステップから入ってステップＳＰ４０へ移る。
【０１１８】
ステップＳＰ４０においてハードディスク内蔵ＤＶＤプレーヤ２Ａの制御部２７は、ハードディスク３４から複製コンテンツである複製データＤ６を読み出してＩｄｄｒｖ解凍部３５へ送出し、次のステップＳＰ４１へ移る。
【０１１９】
ステップＳＰ４１においてハードディスク内蔵ＤＶＤプレーヤ２Ａの制御部２７は、Ｉｄｄｒｖ解凍部３５でハードディスク内蔵ＤＶＤプレーヤ２Ａの装置識別情報Ｉｄｄｒｖ「ＨＤＤ００１５０」を鍵として複製データＤ６を実際に解凍してみることにより、暗号化前の畳込データＤ５が得られるか否かを求め、その結果に基づいて解凍キーが一致するか否かを判定する。
【０１２０】
ここで否定結果が得られると、このことはハードディスク内蔵ＤＶＤプレーヤ２Ａの装置識別情報Ｉｄｄｒｖ「ＨＤＤ００１５０」が複製データＤ６を解凍するための解凍キーではないこと、すなわち当該複製データＤ６はハードディスク内蔵ＤＶＤプレーヤ２Ａ以外の他のハードディスク内蔵ＤＶＤプレーヤによってコピーされたものであるため正常に解凍できないことを表しており、このときハードディスク内蔵ＤＶＤプレーヤ２Ａの制御部２７は、次のステップＳＰ４９へ移る。
【０１２１】
ステップＳＰ４９においてハードディスク内蔵ＤＶＤプレーヤ２Ａの制御部２７は、データ蓄積部２６に予め蓄積してある再生禁止を警告するためのテキストデータを読み出し、表示制御部３７で図７（Ｂ）の警告画面１０１をテレビモニタ等（図示せず）に表示して、次のステップＳＰ５０へ移る。
【０１２２】
これに対してステップＳＰ４１で肯定結果が得られると、このことはハードディスク内蔵ＤＶＤプレーヤ２Ａの装置識別情報Ｉｄｄｒｖ「ＨＤＤ００１５０」が複製データＤ６を解凍するための解凍キーであること、すなわち当該複製データＤ６はハードディスク内蔵ＤＶＤプレーヤ２Ａによってコピーされたものであるため正常に解凍できることを表しており、このときハードディスク内蔵ＤＶＤプレーヤ２Ａの制御部２７は、次のステップＳＰ４２へ移る。
【０１２３】
ステップＳＰ４２においてハードディスク内蔵ＤＶＤプレーヤ２Ａの制御部２７は、Ｉｄｄｒｖ解凍部３５で暗号方式を用いてハードディスク内蔵ＤＶＤプレーヤ２Ａの装置識別情報Ｉｄｄｒｖ「ＨＤＤ００１５０」を鍵として複製データＤ６を解凍することにより暗号化前の畳込データＤ５を得、これををＩｔ、Ｉｗ、Ｉｄｄｒｖ取出部３６及びＭＰＥＧデコード部３９へ送出し、次のステップＳＰ４３へ移る。
【０１２４】
ステップＳＰ４３においてハードディスク内蔵ＤＶＤプレーヤ２Ａの制御部２７は、Ｉｔ、Ｉｗ、Ｉｄｄｒｖ取出部３６で畳込データＤ５から多重化信号Ｓ５を取り出して送受信部２４へ送出し、次のステップＳＰ４４へ移る。
【０１２５】
ステップＳＰ４４においてハードディスク内蔵ＤＶＤプレーヤ２Ａの制御部２７は、多重化信号Ｓ５に対して送受信部２４で所定の送信処理を施した後に管理サーバ３へ送信し、次のステップＳＰ４５へ移る。
【０１２６】
このようにハードディスク内蔵ＤＶＤプレーヤ２Ａの制御部２７はハードディスク３４から読み出した複製コンテンツのタイトル識別情報Ｉｔ「ＤＶＤ００００１０」と媒体識別情報Ｉｗ及び装置識別情報Ｉｄｄｒｖ「ＨＤＤ００１５０」とを管理サーバ３へ送信することにより、当該複製コンテンツがＤＶＤ１０Ａの記録済みコンテンツであり、またハードディスク内蔵ＤＶＤプレーヤ２Ａでコピーされた複製コンテンツであることを管理サーバ３へ伝えることができるようになされている。
【０１２７】
ここで管理サーバ側再生管理処理へ移る。管理サーバ３の制御部５１はルーチンＲＴ４から入ってステップＳＰ６０へ移る。
【０１２８】
ステップＳＰ６０において管理サーバ３の制御部５１は、ステップＳＰ４４でハードディスク内蔵ＤＶＤプレーヤ２Ａから送信された多重化信号Ｓ５を送受信部５２で受信して復号部５３で復号することにより、ハードディスク内蔵ＤＶＤプレーヤ２Ａのハードディスク３４から読み出した複製コンテンツのタイトル識別情報Ｉｔ「ＤＶＤ００００１０」と媒体識別情報Ｉｗ及び装置識別情報Ｉｄｄｒｖ「ＨＤＤ００１５０」を得、次のステップＳＰ６１へ移る。
【０１２９】
ステップＳＰ６１において管理サーバ３の制御部５１は、図４における管理サーバ側複製処理手順のステップＳＰ２２からステップＳＰ３０までの処理と同様の処理を行う。
【０１３０】
すなわち管理サーバ３の制御部５１は、照合部５０で複製コンテンツのタイトル識別情報Ｉｔ「ＤＶＤ００００１０」、媒体識別情報Ｉｗ及び装置識別情報Ｉｄｄｒｖ「ＨＤＤ００１５０」と識別情報データベース５５のユーザ識別情報データ「Ｕ０００００１」、「Ｕ０００００２」、…とを照合し、その照合結果に基づいて複製コンテンツのタイトル識別情報Ｉｔ「ＤＶＤ００００１０」と媒体識別情報Ｉｗ及び装置識別情報Ｉｄｄｒｖ「ＨＤＤ００１５０」との組み合わせと同様の組合せを持つユーザ識別情報データが識別情報データベース５５に存在するか否かを判定する。
【０１３１】
ここで肯定結果が得られると、このことは複製コンテンツのタイトル識別情報Ｉｔ「ＤＶＤ００００１０」と媒体識別情報Ｉｗ及び装置識別情報Ｉｄｄｒｖ「ＨＤＤ００１５０」との組み合わせと同様の組合せを持つ例えばユーザ識別情報データ「Ｕ０００００１」が当該ハードディスク内蔵ＤＶＤプレーヤ２Ａによって当該複製コンテンツをコピーした際に識別情報データベース５５に登録されていること、すなわち当該複製コンテンツは正規ユーザが私的利用を目的として当該ハードディスク内蔵ＤＶＤプレーヤ２Ａでコピーした複製コンテンツであるため、ハードディスク内蔵ＤＶＤプレーヤ２Ａによって再生されることを許可されていることを表しており、このとき管理サーバ３の制御部５１は、次のステップＳＰ６２へ移る。
【０１３２】
ステップＳＰ６２において管理サーバ３の制御部５１は、複製禁止フラグＮｃｐを「０」として、ステップＳＰ６４へ移る。ここでは複製コンテンツの再生が許可される場合には複製禁止フラグＮｃｐが「０」に設定され、再生が禁止される場合には「１」に設定される。
【０１３３】
これに対してステップＳＰ６１で否定結果が得られると、このことは複製コンテンツのタイトル識別情報Ｉｔ「ＤＶＤ００００１０」と媒体識別情報Ｉｗ及び装置識別情報Ｉｄｄｒｖ「ＨＤＤ０００１５０」との組み合わせと同様の組み合わせを持つユーザ識別情報データが当該ハードディスク内蔵ＤＶＤプレーヤ２Ａによって当該複製コンテンツをコピーした際に識別情報データベース５５に登録されなかったこと、すなわち当該複製コンテンツは正規ユーザではないユーザが不正にコピーした複製コンテンツであるため、ハードディスク内蔵ＤＶＤプレーヤ２Ａによって再生されることを禁止されていることを表しており、このとき管理サーバ３の制御部５１は、次のステップＳＰ６３へ移る。
【０１３４】
ステップＳＰ６３において管理サーバ３の制御部５１は、複製禁止フラグＮｃｐを「１」として、次のステップＳＰ６４へ移る。
【０１３５】
ステップＳＰ６４において管理サーバ３の制御部５１は、複製禁止フラグＮｃｐに対して送受信部５２で所定の送信処理を施した後にハードディスク内蔵ＤＶＤプレーヤ２Ａへ送信し、次のステップＳＰ６５へ移って管理サーバ側再生管理処理を終了する。
【０１３６】
ここで再びハードディスク内蔵ＤＶＤプレーヤ側再生処理へ戻る。ステップＳＰ４５においてハードディスク内蔵ＤＶＤプレーヤの制御部２７は、ステップＳＰ６４で管理サーバ３から送信された複製禁止フラグＮｃｐを送受信部２４で受信し、次のステップＳＰ４６へ移る。
【０１３７】
ステップＳＰ４６においてハードディスク内蔵ＤＶＤプレーヤ２Ａの制御部２７は、複製禁止フラグＮｃｐが「０」であるか否かを判定する。
【０１３８】
ここで否定結果が得られると、このことは複製禁止フラグＮｃｐが「１」であること、すなわち再生しようとしている複製コンテンツが不正に複製されたコンテンツであるため、ハードディスク内蔵ＤＶＤプレーヤ２Ａによって当該複製コンテンツを再生することが禁止されていることを表しており、このときハードディスク内蔵ＤＶＤプレーヤの制御部２７は、次のステップＳＰ４７へ移る。
【０１３９】
ステップＳＰ４７においてハードディスク内蔵ＤＶＤプレーヤ２Ａの制御部２７は、データ蓄積部２６に予め蓄積してある再生禁止を警告するためのテキストデータを読み出し、表示制御部３７で図７（Ｃ）の警告画面１０２をテレビモニタ等（図示せず）に表示して、次のステップＳＰ５０へ移る。
【０１４０】
なお、ここではハードディスク内蔵ＤＶＤプレーヤ２Ａの制御部２７は複製禁止フラグＮｃｐが「１」である場合に、警告を表示して再生を禁止するようにしたが、警告を表示するだけで再生を行うようにしてもよい。
【０１４１】
これに対してステップＳＰ４６で肯定結果が得られると、このことは再生しようとしている複製コンテンツが正規ユーザによって私的利用を目的としてコピーされた複製コンテンツであるため、ハードディスク内蔵ＤＶＤプレーヤ２Ａによって複製コンテンツを再生することが許可されていることを表しており、このときハードディスク内蔵ＤＶＤプレーヤの制御部２７は、次のステップＳＰ４８へ移る。
【０１４２】
ステップＳＰ４８においてハードディスク内蔵ＤＶＤプレーヤ２Ａの制御部２７は、畳込データＤ５をＭＰＥＧデコード部３９でデコードすることにより映像データＤ４を得、これを出力部４０からテレビモニタ等（図示せず）へ出力して次のステップＳＰ５０へ移り、ハードディスク内蔵ＤＶＤプレーヤ側再生処理を終了する。
【０１４３】
以上でコンテンツ複製管理システム１のハードディスク内蔵ＤＶＤプレーヤ２Ａによるハードディスク３４の複製コンテンツを再生する複製コンテンツ再生モードの説明を終了する。
【０１４４】
このようにハードディスク内蔵ＤＶＤプレーヤ２Ａは、ハードディスク３４にコピーされた複製コンテンツをハードディスク内蔵ＤＶＤプレーヤ２Ａの装置識別情報Ｉｄｄｒｖ「ＨＤＤ００１５０」を解凍キーとして正常に解凍することができた場合にのみ再生することができるので、当該ハードディスク内蔵ＤＶＤプレーヤ２Ａでコピーした複製コンテンツが当該ハードディスク内蔵ＤＶＤプレーヤ２Ａ以外の他のハードディスク内蔵ＤＶＤプレーヤによって再生されることを防止することができる。
【０１４５】
またハードディスク内蔵ＤＶＤプレーヤ２Ａは、ハードディスク３４から読み出した複製コンテンツからタイトル識別情報Ｉｔ「ＤＶＤ００００１０」、媒体識別情報Ｉｗ及び装置識別情報Ｉｄｄｒｖ「ＨＤＤ０００１５０」を取り出し、これらを管理サーバ３へ送信して複製禁止フラグＮｃｐを問い合わせるようにした。
【０１４６】
そして管理サーバ３は、受信した複製コンテンツのタイトル識別情報Ｉｔ「ＤＶＤ００００１０」、媒体識別情報Ｉｗ及び装置識別情報Ｉｄｄｒｖ「ＨＤＤ０００１５０」の組み合わせに基づいて複製禁止フラグＮｃｐを生成し、これをハードディスク内蔵ＤＶＤプレーヤ２Ａへ送信するようにした。
【０１４７】
そしてハードディスク内蔵ＤＶＤプレーヤ２Ａは、受信した複製禁止フラグＮｃｐに応じて複製コンテンツの再生を制御するようにした。
【０１４８】
これによりハードディスク内蔵ＤＶＤプレーヤ２Ａは、管理サーバ３の管理の下に複製コンテンツの再生を制御することができるので、当該複製コンテンツがハードディスク内蔵ＤＶＤプレーヤ２Ａで再生することが許可されているコンテンツである場合にのみ再生することができ、当該複製コンテンツがハードディスク内蔵ＤＶＤプレーヤ２Ａで再生することが禁止されている場合には再生禁止の警告画面１０１または１０２を表示して再生を禁止することができる。
【０１４９】
（５）動作及び効果
以上の構成において、ハードディスク内蔵ＤＶＤプレーヤ２Ａは、ＤＶＤ１０Ａの記録済コンテンツをコピーするコンテンツ複製モードにおいて、当該ＤＶＤ１０Ａを識別するためのタイトル識別情報Ｉｔ「ＤＶＤ００００１０」と媒体識別情報ＩｗをＤＶＤ１０Ａから取り出し、当該タイトル識別情報Ｉｔ「ＤＶＤ００００１０」と当該媒体識別情報Ｉｗをハードディスク内蔵ＤＶＤプレーヤ２Ａの装置識別情報Ｉｄｄｒｖ「ＨＤＤ０００１５０」と共に管理サーバ３へ送信する。
【０１５０】
管理サーバ３は、ハードディスク内蔵ＤＶＤプレーヤ２Ａから送信されたＤＶＤ１０Ａのタイトル識別情報Ｉｔ「ＤＶＤ００００１０」、媒体識別情報Ｉｗ及び装置識別情報Ｉｄｄｒｖ「ＨＤＤ０００１５０」の組み合わせを識別情報データベース５５と照合し、その照合結果に基づいてＤＶＤ１０Ａのタイトル識別情報Ｉｔ「ＤＶＤ００００１０」、媒体識別情報Ｉｗ及び装置識別情報Ｉｄｄｒｖ「ＨＤＤ０００１５０」の組み合わせと同様の組合せを持つユーザ識別情報データが識別情報データベース５５に存在するか否かを判定する。
【０１５１】
その結果、管理サーバ３はＤＶＤ１０Ａのタイトル識別情報Ｉｔ「ＤＶＤ００００１０」と媒体識別情報Ｉｗ及び装置識別情報Ｉｄｄｒｖ「ＨＤＤ０００１５０」との組み合わせと同様の組合せを持つ例えばユーザ識別情報データ「Ｕ０００００１」が識別情報データベース５５に存在する場合に、ＤＶＤ１０Ａの記録済コンテンツがハードディスク内蔵ＤＶＤプレーヤ２Ａでのみコピーすることが許可されているコンテンツであると判断し、複製許可を示す複製禁止フラグＮｃｐ「０」を生成し、当該複製禁止フラグＮｃｐ「０」をハードディスク内蔵ＤＶＤプレーヤ２Ａに送信する。
【０１５２】
また管理サーバ３は、ＤＶＤ１０Ａのタイトル識別情報Ｉｔ「ＤＶＤ００００１０」と媒体識別情報Ｉｗ及び装置識別情報Ｉｄｄｒｖ「ＨＤＤ０００１５０」との組み合わせと同様の組合せを持つユーザ識別情報データが識別情報データベース５５に存在しない場合に、ＤＶＤ１０Ａの記録済コンテンツがハードディスク内蔵ＤＶＤプレーヤ２Ａでコピーされることが禁止されているコンテンツであると判断し、複製禁止を示す複製禁止フラグＮｃｐ「１」を生成し、当該複製禁止フラグＮｃｐ「１」をハードディスク内蔵ＤＶＤプレーヤ２Ａに送信する。
【０１５３】
そしてハードディスク内蔵ＤＶＤプレーヤ２Ａは管理サーバ３から送信された複製禁止フラグＮｃｐに基づいてＤＶＤ１０Ａの記録済コンテンツの複製を制御し、当該記録済コンテンツをコピーする場合は当該記録済コンテンツにタイトル識別情報Ｉｔ「ＤＶＤ００００１０」、媒体識別情報Ｉｗ及び装置識別情報Ｉｄｄｒｖ「ＨＤＤ０００１５０」を畳み込んでからハードディスク内蔵ＤＶＤプレーヤ２Ａの装置識別情報Ｉｄｄｒｖ「ＨＤＤ０００１５０」を鍵とした暗号化を行ってハードディスク３４へコピーする。
【０１５４】
これにより、ハードディスク内蔵ＤＶＤプレーヤ２Ａは装填されたＤＶＤ１０Ａを識別して、管理サーバ３の管理のもとＤＶＤ１０Ａに対する複製を正規ユーザが私的利用を目的とした場合にのみ許可するよう制御することができる。
【０１５５】
またハードディスク内蔵ＤＶＤプレーヤ２Ａは、ハードディスク３４にコピーした複製コンテンツを再生する複製コンテンツ再生モード時において、暗号化されている当該複製コンテンツを装置識別情報Ｉｄｄｒｖ「ＨＤＤ０００１５０」を鍵として解凍し、解凍した複製コンテンツに畳み込まれたタイトル識別情報Ｉｔ「ＤＶＤ００００１０」と媒体識別情報Ｉｗ及び装置識別情報Ｉｄｄｒｖ「ＨＤＤ０００１５０」を当該複製コンテンツから取り出し、当該タイトル識別情報Ｉｔ「ＤＶＤ００００１０」と当該媒体識別情報Ｉｗ及び当該装置識別情報Ｉｄｄｒｖ「ＨＤＤ０００１５０」を管理サーバ３へ送信する。
【０１５６】
管理サーバ３はハードディスク内蔵ＤＶＤプレーヤ２Ａから送信された複製コンテンツのタイトル識別情報Ｉｔ「ＤＶＤ００００１０」と媒体識別情報Ｉｗ及び装置識別情報Ｉｄｄｒｖ「ＨＤＤ０００１５０」との組み合わせを識別情報データベース５５と照合し、その照合結果に基づいて当該複製コンテンツのタイトル識別情報Ｉｔ「ＤＶＤ００００１０」と媒体識別情報Ｉｗ及び装置識別情報Ｉｄｄｒｖ「ＨＤＤ０００１５０」との組み合わせと同様の組合せを持つユーザ識別情報データが識別情報データベース５５に存在するか否かを判定する。
【０１５７】
その結果、管理サーバ３は複製コンテンツのタイトル識別情報Ｉｔ「ＤＶＤ００００１０」と媒体識別情報Ｉｗ及び装置識別情報Ｉｄｄｒｖ「ＨＤＤ０００１５０」との組み合わせと同様の組合せを持つ例えばユーザ識別情報データ「Ｕ０００００１」が識別情報データベース５５に存在する場合に、当該複製コンテンツを正規ユーザが私的利用を目的として当該ハードディスク内蔵ＤＶＤプレーヤ２Ａでコピーした複製コンテンツであり、ハードディスク内蔵ＤＶＤプレーヤ２Ａによって再生されることを許可された複製コンテンツであると判断し、再生許可を示す複製禁止フラグＮｃｐ「０」を生成し、当該複製禁止フラグＮｃｐ「０」をハードディスク内蔵ＤＶＤプレーヤ２Ａに送信する。
【０１５８】
また管理サーバ３は、複製コンテンツのタイトル識別情報Ｉｔ「ＤＶＤ００００１０」と媒体識別情報Ｉｗ及び装置識別情報Ｉｄｄｒｖ「ＨＤＤ０００１５０」との組み合わせと同様の組合せを持つユーザ識別情報データが識別情報データベース５５に存在しない場合に、当該複製コンテンツを正規ユーザではないユーザが不正に複製した複製コンテンツであり、ハードディスク内蔵ＤＶＤプレーヤ２Ａによって再生されることを禁止された複製コンテンツであると判断し、再生禁止を示す複製禁止フラグＮｃｐ「１」を生成し、当該複製禁止フラグＮｃｐ「１」ハードディスク内蔵ＤＶＤプレーヤ２Ａに送信する。
【０１５９】
これにより、ハードディスク内蔵ＤＶＤプレーヤ２Ａは当該複製コンテンツを識別して、管理サーバ３の管理のもと当該複製コンテンツが正規ユーザによって私的利用を目的としてコピーされたものである場合にのみ当該複製コンテンツの再生を許可するよう制御することができる。
【０１６０】
以上の構成によれば、コンテンツ複製管理システム１におけるハードディスク内蔵ＤＶＤプレーヤ２Ａは、装填されたＤＶＤ１０Ａの記録済コンテンツをコピーする場合は当該記録済コンテンツに対してハードディスク内蔵ＤＶＤプレーヤ２の装置識別情報Ｉｄｄｒｖ「ＨＤＤ０００１５０」を鍵とした暗号化を行ってからハードディスク３４にコピーするようにしたことにより、コピーした複製コンテンツがハードディスク内蔵ＤＶＤプレーヤ２Ａ以外の他のハードディスク内蔵ＤＶＤプレーヤによって再生されることを防止することができる。
【０１６１】
またハードディスク内蔵ＤＶＤプレーヤ２Ａは、装填されたＤＶＤ１０Ａの記録済コンテンツの複製時及びハードディスク３４にコピーした複製コンテンツの再生時に当該ＤＶＤ１０Ａ及び当該複製コンテンツを個別に識別するためのタイトル識別情報Ｉｔ「ＤＶＤ００００１０」及び媒体識別情報Ｉｗを取り出し、これらをハードディスク内蔵ＤＶＤプレーヤ２Ａの装置識別情報「ＨＤＤ０００１５０」と共に管理サーバ３へ送信して複製禁止フラグＮｃｐを問い合わることにより複製禁止フラグＮｃｐを得、当該複製禁止フラグＮｃｐに応じて複製及び再生を制御することができる。
【０１６２】
これによりハードディスク内蔵ＤＶＤプレーヤ２Ａは、装填されたＤＶＤ１０Ａの複製を管理サーバ３の管理のもと個別に制御して正規ユーザにのみ当該ＤＶＤ１０Ａの複製を許可し、またハードディスク３４にコピーした複製コンテンツの再生を管理サーバ３の管理のもと個別に制御して当該複製コンテンツが正規ユーザによってコピーされたものである場合にのみ再生を許可することができる。
【０１６３】
（６）他の実施の形態
なお上述の実施の形態においては、媒体識別情報としてＣＭＯＳカメラ２０でＤＶＤ１０Ａの印刷面を撮像した輝度信号を用いるようにした場合について述べたが、本発明はこれに限らず、ＤＶＤ１０Ａを識別できる情報であれば、印刷の縁のにじみ、印刷のかけ、インクの厚み、印刷面の凹凸、印刷の中心からのずれ、印刷面の透過度、印刷面の偏光、印刷面の傷等の他の種々の情報を撮像した光学信号を用いてもよい。
【０１６４】
また上述の実施の形態においては、複製組合情報としてＤＶＤ１０Ａのタイトル識別情報Ｉｔ「ＤＶＤ００００１０」、媒体識別情報Ｉｗ及びハードディスク内蔵ＤＶＤプレーヤ２Ａの装置識別情報「ＨＤＤ０００１５０」を用いるようにした場合について述べたが、本発明はこれに限らず、当該タイトル識別情報Ｉｔ「ＤＶＤ００００１０」を用いずに媒体識別情報Ｉｗ及び装置識別情報「ＨＤＤ０００１５０」のみを用いるようにしてもよい。
【０１６５】
さらに上述の実施の形態においては、媒体識別情報取得手段として、ＣＭＯＳカメラ２０を用いるようにした場合について述べたが、本発明はこれに限らず、ＣＣＤ（Ｃｈａｒｇｅ  Ｃｏｕｐｌｅｄ  Ｄｅｖｉｃｅ）カメラ等の他の撮像素子を用いてＤＶＤ１０Ａの印刷面を撮像するようにしてもよい。
【０１６６】
さらに上述の実施の形態においては、媒体識別情報取得手段として、ＣＭＯＳカメラ２０を用いるようにした場合について述べたが、本発明はこれに限らず、ＯＰ２８が媒体識別情報を取得するようにしてもよい。この場合ＯＰ２８が取得できる媒体識別情報としては、ＢＣＡ（Ｂｕｒｓｔ  Ｃｕｔｔｉｎｇ  Ａｒｅａ）等の媒体毎に予め記録された固有の信号や、媒体に記録された信号のエラーパターン、信号のジッター、媒体の材質による信号の振幅変動パターン等の情報が考えられる。この場合、ＯＰ２８がＤＶＤ１０の記録面に記録された信号の読み取りと、ＤＶＤ１０の媒体識別情報の取得との両方を兼ねることができるので、ＣＭＯＳカメラ２０をハードディスク内蔵ＤＶＤプレーヤ２Ａに内蔵しなくてもよく、ハードディスク内蔵ＤＶＤプレーヤ２Ａの回路構成を簡略化することができる。
【０１６７】
さらに上述の実施の形態においては、ＤＶＤ１０Ａの記録済コンテンツをハードディスク３４にコピーするようにした場合について述べたが、本発明はこれに限らず、ＤＶＤ−Ｒ等の他の記録媒体にコピーするようにしてもよい。
【０１６８】
さらに上述の実施の形態においては、最初にＤＶＤ１０Ａの記録済コンテンツをコピーしたハードディスク内蔵ＤＶＤプレーヤ２Ａのみが当該ＤＶＤ１０Ａの記録済コンテンツの複製及び複製コンテンツの再生を行うことができるようにした場合について述べたが、本発明はこれに限らず、家庭内でハードディスク内蔵ＤＶＤプレーヤを複数所有している場合等は、図９に示すように、家庭内に設置された複数のハードディスク内蔵ＤＶＤプレーヤの例えば装置識別情報「ＨＤＤ０００１５０」、「ＨＤＤ００１０３０」を１つのグループＩＤ「ＵＧ００００１」として管理サーバ３で管理することにより、同じグループＩＤ内であればＤＶＤ１０Ａに記録されたコンテンツの複製及び複製したコンテンツの再生を許可するようにしてもよい。
【０１６９】
さらに上述の実施の形態においては、ＤＶＤ１０Ａの記録済コンテンツを再生する場合は一般的なＤＶＤプレーヤと同様の再生処理を行うようにした場合について述べたが、本発明はこれに限らず、ＤＶＤ１０Ａの記録済コンテンツを再生する場合においても、管理サーバ３へ複製許可情報としての複製禁止フラグＮｃｐを問い合わせて、再生を制御するようにしてもよい。
【０１７０】
この場合、管理サーバ３を例えばレンタルＤＶＤ業者が管理すれば、レンタルされたＤＶＤ１０Ａの記録済コンテンツを貸し出し期間が過ぎた後再生禁止にすることや、レンタルされたＤＶＤ１０Ａの記録済コンテンツを初めから複製禁止にしておくことができる。
【０１７１】
さらに上述の実施の形態においては、ＤＶＤ１０Ａの記録済コンテンツの複製時にタイトル識別情報Ｉｔ「ＤＶＤ００００１０」と媒体識別情報Ｉｗ及び装置識別情報Ｉｄｄｒｖ「ＨＤＤ０００１５０」を多重化部２３で多重化することにより多重化信号Ｓ５を得て、当該多重化信号Ｓ５を畳込部３２でＣＳＳ解凍データＤ３に畳み込むようにした場合について述べたが、本発明はこれに限らず、当該多重化信号Ｓ５を畳込部３２でＣＳＳ解凍データＤ３に畳み込むと共にデータ蓄積部２６に蓄積しておいてもよい。
【０１７２】
この場合ハードディスク内蔵ＤＶＤプレーヤ２Ａの制御部２７は、ハードディスク３４にコピーした複製コンテンツの再生時以外の時に、データ蓄積部２６に蓄積してある多重化信号Ｓ５を管理サーバ３へ送信して、複製禁止フラグＮｃｐを得、当該複製禁止フラグＮｃｐが複製禁止を示していた場合、すなわちハードディスク３４にコピーした複製コンテンツが不正にコピーされたものである場合に警告を表示するような複製コンテンツ確認モードを設けてもよい。
【０１７３】
さらに上述の実施の形態においては、複製コンテンツの再生時に当該複製コンテンツを暗号化した鍵と当該コンテンツを再生しようとしているハードディスク内蔵ＤＶＤプレーヤ２Ａの鍵が一致した場合にのみ当該複製コンテンツを解凍することができるようにした場合について述べたが、本発明はこれに限らず、管理サーバ３へ課金などの対価を払うことにより、当該管理サーバ３からハードディスク内蔵ＤＶＤプレーヤ２Ａが当該コンテンツの鍵を受信して、当該鍵を用いて当該複製コンテンツを解凍するようにしてもよい。
【０１７４】
さらに上述の実施の形態においては、複製元記録媒体としてＤＶＤ１０Ａを用いた場合について述べたが、本発明はこれに限らず、ＣＤやＬＤまたはＤｉｖｘ（Ｄｉｇｉｔａｌ  Ｖｉｄｅｏ  Ｅｘｐｒｅｓｓ）等の他のディスク状の記録媒体を用いてもよい。
【０１７５】
さらに上述の実施の形態においては、媒体識別情報取得手段としてのＣＭＯＳカメラ２０、フィルタ部２１、クロック付加部２２や、複製組合情報送信手段及び受信手段としての送受信部２４や、装置識別情報取得手段及び制御手段としての制御部２７によってコンテンツ複製装置としてのハードディスク内蔵ＤＶＤプレーヤ２Ａを構成するようにした場合について述べたが、本発明はこれに限らず、この他の種々の回路構成によりハードディスク内蔵ＤＶＤプレーヤ２Ａを構成するようにしてもよい。
【０１７６】
さらに上述の実施の形態においては、記憶手段としての識別情報データベース５５、Ｉｗ蓄積部５４や、複製許可情報生成手段としての制御部５１や、複製許可情報送信手段としての送受信部５２によって複製管理装置としての管理サーバ３を構成するようにした場合について述べたが、本発明はこれに限らず、この他の種々の回路構成により管理サーバ３を構成するようにしてもよい。
【０１７７】
【発明の効果】
上述のように本発明によれば、複製管理装置は、コンテンツ複製装置から受信した複製元記録媒体及びコンテンツ複製装置そのものを特徴付ける固有の媒体識別情報及び装置識別情報を当該コンテンツ複製装置におけるコンテンツ複製時の複製組合情報として予め登録しておき、コンテンツ複製装置によってアクセスされたときに当該コンテンツ複製装置から受信した複製組合情報と、予め登録しておいた複製組合情報とを比較して一致したときのみ複製を許可する複製許可情報をコンテンツ複製装置に送信することにより、当該コンテンツ複製装置における複製元記録媒体からのコンテンツの複製を複製元記録媒体毎に複製管理装置の制御の下に管理することができ、かくして現在広く利用されているＤＶＤ等の記録済コンテンツの不正な複製を防止すると共に私的利用を目的とした当該記録済コンテンツの複製を許可して確実に複製を管理し得るコンテンツ複製管理システムを実現できる。
【０１７８】
また本発明によれば、コンテンツ複製装置から受信した複製元記録媒体及びコンテンツ複製装置そのものを特徴付ける固有の媒体識別情報及び装置識別情報を当該コンテンツ複製装置におけるコンテンツ複製時の複製組合情報として予め登録しておき、コンテンツ複製装置によってアクセスされたときに当該コンテンツ複製装置から受信した複製組合情報と、予め登録しておいた複製組合情報とを比較して一致したときのみ複製を許可する複製許可情報をコンテンツ複製装置に送信することにより、当該コンテンツ複製装置における複製元記録媒体からのコンテンツの複製を複製元記録媒体毎に複製管理装置の制御の下に管理することができ、かくして現在広く利用されているＤＶＤ等の記録済コンテンツの不正な複製を防止すると共に私的利用を目的とした当該コンテンツの複製を許可して確実に複製を管理し得る複製管理装置及び複製管理方法を実現できる。
【０１７９】
さらに本発明によれば、コンテンツの記録された複製元記録媒体そのものを特徴付ける固有の媒体識別情報及びコンテンツ複製装置そのものを示す固有の装置識別情報を取得し、当該媒体識別情報及び装置識別情報をコンテンツ複製時の複製組合情報としてネットワークを介して接続された複製管理装置へ送信し、複製組合情報が複製管理装置によって予め登録された後、改めて複製管理装置へアクセスしたときに送信した複製組合情報と予め登録された複製組合情報とが当該複製管理装置によって比較され、媒体識別情報及び装置識別情報の組み合わせが相互に一致したときに限ってコンテンツの複製を許可するように生成された複製許可情報を複製管理装置から受信し、当該複製許可情報に応じて複製を制御することにより、複製元記録媒体からのコンテンツの複製を複製元記録媒体毎に複製管理装置の制御の下に管理することができ、かくして現在広く利用されているＤＶＤ等の記録済コンテンツの不正な複製を防止すると共に私的利用を目的とした当該コンテンツの複製を許可して確実に複製を管理し得る複製装置及びコンテンツ複製方法を実現できる。
【図面の簡単な説明】
【図１】本発明におけるコンテンツ複製管理システムの全体構成を示す略線図である。
【図２】ハードディスク内蔵ＤＶＤプレーヤの回路構成を示す略線的ブロック図である。
【図３】管理サーバの回路構成を示す略線的ブロック図である。
【図４】ＤＶＤの記録済コンテンツの複製処理手順を示すフローチャートである。
【図５】図４のＤＶＤの記録済コンテンツの複製処理手順に続く処理手順を示すフローチャートである。
【図６】識別情報データベースの内容を示す略線図である。
【図７】警告画面の内容を示す略線図である。
【図８】複製コンテンツの再生処理手順を示すフローチャートである。
【図９】他の実施の形態におけるグループ管理を行う場合の識別情報データベースの内容を示す略線図である。
【符号の説明】
１……コンテンツ複製管理システム、２Ａ、２Ｂ……ハードディスク内蔵ＤＶＤプレーヤ、３……管理サーバ、１０Ａ、１０Ｂ……ＤＶＤ、２０……ＣＭＯＳカメラ、２１……フィルタ部、２２……クロック付加部、２３……多重化部、２４、５２……送受信部、２５……Ｉｔ取出部、２６……データ蓄積部、２７、５１……制御部、２８……ＯＰ、３２……畳込部、３３……Ｉｄｄｒｖ暗号化部、３４……ハードディスク、３５……Ｉｄｄｒｖ解凍部、３６……Ｉｔ、Ｉｗ、Ｉｄｄｒｖ取出部、３７……表示制御部、５０……照合部、５４……Ｉｗ蓄積部、５５……識別情報データベース。
【図１】
2004246819.tif 000003
【図２】
2004246819.tif 000004
【図３】
2004246819.tif 000005
【図４】
2004246819.tif 000006
【図５】
2004246819.tif 000007
【図６】
2004246819.tif 000008
【図７】
2004246819.tif 000009
【図８】
2004246819.tif 000010
【図９】
2004246819.tif 000011